(57)【要約】【課題】外槽を配設した筐体の上部を上部枠体により覆うよう構成した洗濯機において、上部枠体まわりの部品構成を簡素化して、かつ確実にアースがとれるようにするとともに、製造コストを低減する。【解決手段】筐体２４内に外槽３を配設し、筐体２４の上部を上部枠体２５により覆い、上部枠体２５は筐体２４に設けた筐体取り付け部２８にねじ止めして筐体２４に固定する。上部枠体２５に板状金具２６を制御装置用アース線２７と一体に取り付け、板状金具２６を筐体取り付け部２８と上部枠体２５の間に共締めする。【選択図】　図１
2004073709.tif 000002
【特許請求の範囲】
【請求項１】
筐体内に配設した外槽と、前記筐体の上部を覆う上部枠体とを備え、前記上部枠体は前記筐体に設けた筐体取り付け部にねじ止めして筐体に固定し、前記上部枠体に板状金具をアース線と一体に取り付け、前記板状金具を前記筐体取り付け部と前記上部枠体の間に共締めした洗濯機。
【請求項２】
筐体の内部にサスペンションにより揺動自在に支持した外槽と、前記筐体の上端部に固着し前記サスペンションを支持する支持補強部材と、前記筐体の上部を覆う上部枠体とを備え、前記上部枠体は前記支持補強部材に設けた筐体取り付け部にねじ止めして筐体に固定し、前記上部枠体に板状金具をアース線と一体に取り付け、前記板状金具を前記支持補強部材の筐体取り付け部と前記上部枠体の間に共締めした洗濯機。
【請求項３】
上部枠体は筐体取り付け部に後方よりねじ止めして筐体に固定し、板状金具は、前記上部枠体の底面に下方よりアース線と一体に取り付け、前記板状金具の一端部を前記上部枠体の外枠下端部を略Ｕ字状にはさみ込むよう構成した請求項１または２記載の洗濯機。
【請求項４】
上部枠体の外枠下端部は、板状金具の一端部を囲うように略Ｕ字状にリブを形成した請求項３記載の洗濯機。
【発明の詳細な説明】
【０００１】
【発明の属する技術分野】
本発明は、外槽を配設した筐体の上部を上部枠体により覆うよう構成した洗濯機に関するものである。
【０００２】
【従来の技術】
従来この種の洗濯機は図７に示すような構成が一般的であった。以下その構成について説明する。
【０００３】
図７に示すように、筐体１は、内部に複数のサスペンション２によって外槽３を揺動自在に吊り下げ、脱水時の振動をサスペンション２によって吸収する構成としている。外槽３の内部に、回転中心軸を略鉛直方向に有し、洗濯物を収容する内槽４を中空で２重構造とした洗濯・脱水軸５を中心に回転可能に配設し、内槽４の内底部に洗濯物を撹拌する回転翼６を回転自在に配設している。
【０００４】
また、内槽４の内壁には小孔（図示せず）を多数設けるとともに、上方に流体バランサ７を設けている。モータ８は、外槽３の底部に取り付け、洗濯または脱水時に回転力の伝達を洗濯・脱水軸５に切り替えるクラッチ９と洗濯・脱水軸５を介して、内槽４または回転翼６に連結している。
【０００５】
また、モータ用アース線１０はモータ８を有する金属製の外槽３の底部から筐体１にねじ止めしている。洗濯機本体の機外アース線１１は金属製の筐体１にアース用端子ねじ１２にてねじ止めしている。
【０００６】
筐体１の上部に上部枠体１３を装着し、上部枠体１３の略中央部に衣類投入口１４を形成し、蓋１５で覆っている。また、上部枠体１３の後部に、内槽４内に給水する給水弁１６、風呂水などを吸水し内槽４内に供給する吸水ポンプ１７、給水弁１６および吸水ポンプ１７に連結した注水口部材１８、制御装置１９などをそれぞれ直接ねじや爪嵌合等で取り付け、後方パネル部材２０で覆っている。
【０００７】
また、上部枠体１３の前部には、制御装置１９に接続した操作表示部２１を設けている。制御装置１９は、モータ８、クラッチ９、給水弁１６、排水弁２２などの動作を制御し、洗い、すすぎ、脱水の各行程を制御するようにしている。
【０００８】
また、制御装置用アース線２３は制御装置１９の基板上に直接取り付け、反対側を筐体１にねじ止めしている。
【０００９】
【発明が解決しようとする課題】
最近の洗濯機はインバーター制御の電装部品が増えてきており、ノイズが発生しやいため、インバーター回路を有する制御装置１９からアースをとる必要のあるものが増えてきている。そして、制御装置１９を上部枠体１３に配置する場合、上部枠体１３はプラスチック製であり、制御装置用アース線２３は、金属製の筐体１に接続しなければならず、かつ、制御装置用アース線２３はノイズが発生しないように他のリード線（図示せず）と分離し、距離をあける必要があり、部品構成が複雑で、部品コストもかかっていた。
【００１０】
また、このような従来の構成では、上部枠体１３に各部品を取り付けたユニットとして、筐体１に組み立てる場合、上部枠体１３から制御装置用アース線２３を筐体１にかみ込まないように引き回し、筐体１にビス止めしなければならないため、組立作業性、サービスメンテナンス性が悪かった。
【００１１】
本発明は上記従来の課題を解決するもので、上部枠体まわりの部品構成を簡素化して、かつ確実にアースがとれるようにするとともに、製造コストを低減することを目的としている。
【００１２】
【課題を解決するための手段】
本発明は上記目的を達成するために、筐体内に外槽を配設し、筐体の上部を上部枠体により覆い、上部枠体は筐体に設けた筐体取り付け部にねじ止めして筐体に固定し、上部枠体に板状金具をアース線と一体に取り付け、板状金具を筐体取り付け部と上部枠体の間に共締めしたものである。
【００１３】
これにより、上部枠体まわりの部品構成を簡素化して、かつ確実にアースをとることができるとともに、製造コストを低減することができる。
【００１４】
【発明の実施の形態】
本発明の請求項１に記載の発明は、筐体内に配設した外槽と、前記筐体の上部を覆う上部枠体とを備え、前記上部枠体は前記筐体に設けた筐体取り付け部にねじ止めして筐体に固定し、前記上部枠体に板状金具をアース線と一体に取り付け、前記板状金具を前記筐体取り付け部と前記上部枠体の間に共締めしたものであり、上部枠体まわりの部品構成を簡素化して、かつ板状金具と筐体に設けた筐体取り付け部を介して確実にアースをとることができるとともに、製造コストを低減することができる。
【００１５】
請求項２に記載の発明は、筐体の内部にサスペンションにより揺動自在に支持した外槽と、前記筐体の上端部に固着し前記サスペンションを支持する支持補強部材と、前記筐体の上部を覆う上部枠体とを備え、前記上部枠体は前記支持補強部材に設けた筐体取り付け部にねじ止めして筐体に固定し、前記上部枠体に板状金具をアース線と一体に取り付け、前記板状金具を前記支持補強部材の筐体取り付け部と前記上部枠体の間に共締めしたものであり、上部枠体まわりの部品構成を簡素化して、かつ板状金具と支持補強部材に設けた筐体取り付け部を介して確実にアースをとることができるとともに、既存の上部枠体と筐体固定部を活用できるため、さらに部品構成を簡素化できるため、製造コストを低減することができる。
【００１６】
請求項３に記載の発明は、上記請求項１または２に記載の発明において、上部枠体は筐体取り付け部に後方よりねじ止めして筐体に固定し、板状金具は、前記上部枠体の底面に下方よりアース線と一体に取り付け、前記板状金具の一端部を前記上部枠体の外枠下端部を略Ｕ字状にはさみ込むよう構成したものであり、板状金具の変形や上部枠体ユニットを筐体に組み立てる場合のかみ込み等を防止でき、組立作業性、サービスメンテナンス性を向上することができる。
【００１７】
請求項４に記載の発明は、上記請求項３に記載の発明において、上部枠体の外枠下端部は、板状金具の一端部を囲うように略Ｕ字状にリブを形成したものであり、板状金具の端面に手が直接触れない構造にすることができ、安全性を向上できるとともに、部品コストを削減することができる。
【００１８】
【実施例】
以下、本実施例について、図面を参照にしながら説明する。なお、従来例と同じ構成のものは同一符号を付して説明を省略する。
【００１９】
（実施例１）
図１および図２に示すように、筐体２４は、内部に複数のサスペンション２によって揺動自在に吊り下げた外槽３を配設し、脱水時の振動をサスペンション２によって吸収する構成としている。この筐体２４の上部を上部枠体２５で覆い、この上部枠体２５に板状金具２６を制御装置用アース線（アース線）２７と一体に取り付けている。上部枠体２５は筐体２４に設けた筐体取り付け部２８にねじ止めして、筐体２４に固定するよう構成し、板状金具２６は筐体２４に設けた筐体取り付け部２８と上部枠体２６の間に共締めしている。
【００２０】
板状金具２６は、板厚０．５ｍｍ程度の金属材をプレス加工にて構成し、一端に制御装置用アース線２７の端子と面にて接触するようにねじ止めし、反対側の端は、塗膜を剥がし導通するように加工された筐体取り付け部２８にて、筐体２４と上部枠体２６の間に共締めしている。
【００２１】
上記構成において作用を説明する。板状金具２６の一端に制御装置用アース線２７の端子と面にて接触するようにねじ止めし、反対側の端は筐体取り付け部２８にて筐体２４と上部枠体２６の間に共締めするため、面にて接触するため、安価で、かつ確実に制御装置用アース線２７を板状金具２６と筐体取り付け部２８を介して筐体２４に接続でき、筐体２４にアース用端子ねじ１２にてねじ止めした機外アース線１１を通してアースをとることができる。
【００２２】
また、上部枠体２６に部品をすべて取り付けたユニットの状態で、筐体２４に組み立てることが可能で、しかも作業が完結するため、部品構成を簡素化できるとともに製造コストを低減することができる。
【００２３】
（実施例２）
図３および図４に示すように、筐体２９は、内部に複数のサスペンション２によって揺動自在に吊り下げた外槽３を配設し、脱水時の振動をサスペンション２によって吸収する構成としている。サスペンション２は筐体２９上端部に固着した支持補強部材３０により支持している。この筐体２９の上部を上部枠体３１で覆い、上部枠体３１は支持補強部材３０に設けた筐体取り付け部３２にねじ止めして筐体２９に固定している。
【００２４】
上部枠体３１に板状金具３３を制御装置用アース線２７と一体に取り付け、板状金具３３は支持補強部材３０の筐体取り付け部３２と上部枠体３１の間に共締めしている。他の構成は上記実施例１と同じであり、同一符号を付して説明を省略する。
【００２５】
上記構成において作用を説明する。上部枠体３１に板状金具３３を制御装置用アース線２７と一体に取り付け、板状金具３３は支持補強部材３０の筐体取り付け部３２と上部枠体３１の間に共締めしているので、支持補強部材３０を通して確実に制御装置用アース線２７を筐体２９に接続でき、筐体２９にアース用端子ねじ１２にてねじ止めした機外アース線１１を通してアースをとることができる。
【００２６】
したがって、新たにねじ締めを追加することなく、既存の上部枠体３１と筐体取り付け部を活用できるため、さらに部品構成を簡素化できる。また、支持補強部材３０は塗膜のない金属材のプレス加工品のため、板状金具３３と支持補強部材３０が面にて接触するため、制御装置用アース線２７を機外アース線１１を通して確実にアースをとることができ、かつ製造コストを低減することができる。
【００２７】
（実施例３）
図５に示すように、上部枠体３４は筐体取り付け部３５に後方よりねじ止めして、筐体２９に固定するよう構成し、板状金具３６は、上部枠体３４の底面に下方より制御装置用アース線２７と一体に取り付け、板状金具３６の一端部は、上部枠体３４の外枠下端部を略Ｕ字状にはさみ込む構成としている。他の構成は上記実施例１と同じであり、同一符号を付して説明を省略する。
【００２８】
上記構成において作用を説明すると、板状金具３６の変形や、上部枠体３４に部品をすべて取り付けたユニットの状態で、筐体２４に組み立てる場合に支持補強部材の内側にかみ込み、支持補強部材の筐体取り付け部３５と前記上部枠体３４の間に入らないことを防止でき、かつ組み立て後も板状金具３６の一端部の略Ｕ字状部が視認できるため、組み立て不良を低減でき、組立作業性、サービスメンテナンス性を向上することができる。
【００２９】
（実施例４）
図６に示すように、上部枠体３７の外枠下端部３８は、板状金具３９の一端部を囲うように略Ｕ字状にリブ４０を形成している。他の構成は上記実施例３と同じである。
【００３０】
上記構成において作用を説明すると、上部枠体３７の外枠下端部３８に、板状金具３９の一端部を囲うように略Ｕ字状にリブ４０を形成しているので、板状金具３９の端面に手が直接触れない構造にすることができ、安全性を向上することができる。また、板状金具３９の端面のバリ処理等の後加工を省略することができるため、部品コストの削減することができる。
【００３１】
【発明の効果】
以上のように、本発明の請求項１に記載の発明によれば、上部枠体を筐体に設けた筐体取り付け部にねじ止めして筐体に固定し、上部枠体に板状金具をアース線と一体に取り付け、板状金具を筐体取り付け部と上部枠体の間に共締めしたことにより、上部枠体まわりの部品構成を簡素化して、かつ確実にアースをとることができるとともに、製造コストを低減することができる。
【図面の簡単な説明】
【図１】本発明の第１の実施例の洗濯機の断面図
【図２】同洗濯機の要部拡大断面図
【図３】本発明の第２の実施例の洗濯機の断面図
【図４】同洗濯機の要部拡大断面図
【図５】本発明の第３の実施例の洗濯機の要部断面図
【図６】本発明の第４の実施例の洗濯機の要部斜視図
【図７】従来の洗濯機の断面図
【符号の説明】
３　　外槽
２４　筐体
２５　上部枠体
２６　板状金具
２７　制御装置用アース線（アース線）
２８　筐体取り付け部
【図１】
2004073709.tif 000003
【図２】
2004073709.tif 000004
【図３】
2004073709.tif 000005
【図４】
2004073709.tif 000006
【図５】
2004073709.tif 000007
【図６】
2004073709.tif 000008
【図７】
2004073709.tif 000009